(57)【要約】【課題】圧縮ガスの噴出を制御するバルブを動かすボルトの構造を大きく改変することなく、ガス圧によって弾丸を発射する玩具銃の弾丸発射時及びブローバック時に強い衝撃を生じさせる。【解決手段】バルブボディ１２２は、筒形状をなし、前方側でバレル１１３の後方側の端部に連通する。バルブボディ１２２は、内部に気室１２６を形成する。放出バルブ１２３は、バルブボディ１２２の内部に位置付けられる。放出バルブ１２３は、後方からボルト１２１に叩かれることでバレル１１３と気室１２６との連通を開閉する。ボルト１２１が前後にスライド移動すると、ボルト１２１の前方の第１の開口１２１ｇにはバルブボディ１２２が嵌り込む。ボルト１２１の筒部１２１ｈや閉口端１２１ｄには、ボルト１２１内の気体が流出入する第２の開口が設けられる。【選択図】図２
2011231979.tif 000002
【特許請求の範囲】
【請求項１】
銃身の前後方向に延びるバレルと、
銃身の前後方向に延びる筒形状をなして内部に圧縮ガスで充満される気室を形成し、前方側で前記バレルの後方側の端部に連通し、後方側に銃身の前後方向に貫通する貫通孔を有するバルブボディと、
前記バルブボディの内部に位置付けられ、前記バレルと前記気室との連通を閉止する閉位置と前記閉位置よりも前方寄りであって前記バレルと前記気室との連通を開放する開位置との間で変位自在に設けられる放出バルブと、
前記放出バルブを後方に押し前記閉位置に位置付ける放出バルブスプリングと、
銃身の前後方向にスライド自在に設けられ、前方に第１の開口を形成し、前記第１の開口よりも後方に第２の開口を形成し、前記第１の開口から前記バルブボディの後方側外周を嵌合させる嵌合受け部と、前記第１の開口に対面する前記嵌合受け部の底部に設けられる当接部とを有し、前記当接部を前記放出バルブに当接させ当該放出バルブを前記開位置に位置付ける押圧位置と、この押圧位置よりも後方で前記当接部を前記放出バルブから離反させる後退位置との間で変位するボルトと、
前記ボルトを前方に押すボルトスプリングと、
を備える玩具銃。
【請求項２】
前記第２の開口は、前記嵌合受け部の側部の一部を貫通する、
請求項１記載の玩具銃。
【請求項３】
前記第２の開口は、前記嵌合受け部の底部の一部を貫通する、
請求項１記載の玩具銃。
【請求項４】
前記嵌合受け部の断面積が１８６．１７ｍｍ２であり、
前記第２の開口の開口面積が１．７７ｍｍ２以上４．９１ｍｍ２以下である、
請求項１から３のいずれか一に記載の玩具銃。
【発明の詳細な説明】
【技術分野】
【０００１】
本発明は、使用者がトリガを引くことによりボルトが移動し、ボルトがバルブを開いて圧縮ガスを噴出させ、この圧縮ガスによる圧力で弾丸を発射する玩具銃に関する。
【背景技術】
【０００２】
従来、玩具銃の愛好者によって自宅内での的当て（プリンキング；ｐｌｉｎｋｉｎｇ）などの遊戯目的で使用され、使用者がトリガを引くことによりボルトが移動し、ボルトがバルブを開いて圧縮ガスを噴出させ、この圧縮ガスによる圧力で弾丸を発射する玩具銃がある（例えば、特許文献１に記載の自動連射型玩具銃）。
【０００３】
特許文献１に記載の自動連射型玩具銃は、オープンボルト式のものである。この自動連射型玩具銃における弾丸発射時の進退ボルト１１の動きについて、概略的に説明する。進退ボルト１１が銃の後方寄りの待機位置にあるもとでトリガ１が引かれると、リコイルスプリング２７が進退ボルト１１を押し、進退ボルト１１に一体的に設けられたハンマ２１が開閉弁部材５１（バルブ）を殴打する。ハンマ２１の殴打により、弾丸ＢＢはガス圧を受けて銃身２における前端部側に向かう方向に加速し、銃から発射される。そして、銃身２から弾丸ＢＢが発射された略直後において、蓄圧室５０からのガス圧とリバウンドスプリング２９の付勢力とによって、進退ボルト１１は後退に転じる。
【先行技術文献】
【特許文献】
【０００４】
【特許文献１】特開平１０−１９７２００号公報（段落番号００５０〜００５７、図１１）
【発明の概要】
【発明が解決しようとする課題】
【０００５】
玩具銃の使用者の中には、玩具銃に対して、ただ弾丸を発射するのみならず、実銃に類する機能や使用感を求める者も多い。そして、銃身の前後方向に移動するボルトの動きに伴ってバルブが開閉し弾丸の充填及び発射がなされる玩具銃では、ボルトの移動により強い衝撃が発生し、実銃に近い使用感を得ることが可能である。ボルトが移動することで弾丸を発射する玩具銃は、ボルトが固定されている玩具銃よりも人気が高い。
【０００６】
特許文献１に記載の玩具銃は、ボルトが前進してバルブを叩打することによってバルブを開放して弾丸を発射し、次いで、ボルトが後退した後にバルブが閉鎖されるものである。この玩具銃は、前述のように実銃に近い使用感を得られるものである。もっとも、この玩具銃の場合、ハンマとバルブと弾丸とが一直線上には位置しない。しかるに、ハンマとバルブと弾丸とが一直線上に存在するのであれば、弾丸発射機構はより小型化できるし、より効率的にガス圧を弾丸に与えることができるはずである。そこで、特許文献１記載の自動連射型玩具銃とは別に、ハンマとバルブと弾丸とが略一直線上に存在するオープンボルト式の玩具銃が考えられる。
【０００７】
この仮想事例の玩具銃は、可動式のボルトを備える。このボルトは、その後方部分に空気またはガスが流入する空間（可変容積圧力室）を有する。この可変容積圧力室は、弾丸の発射後にガスが流入する空間である。この可変容積圧力室に流入したガスは、その圧力によって、ボルトを後方に押す。そして、可変容積圧力室にガスが満たされている間、ガスはボルトを後方に押し続ける。つまり、上記ボルトは弾丸発射後に後退する。そして、このボルトは、最後退位置に到達する直前に、バルブボディから離反する。これにより、ボルト内の気密が解け、可変容積圧力室の中にあるガスが大気に排出される。その結果、可変容積圧力室内のガスの圧力が弱まる。
【０００８】
このため、仮想事例の玩具銃では、可変容積圧力室を形成する有底筒状部が長いほど、ボルトがガスから圧力を受け続ける時間が長くなり、その結果、仮想事例の玩具銃が使用者に与えるリコイルショックも大きくなる。
【０００９】
しかしながら、有底筒状部が長いほど、ボルトが有底筒状部に嵌合してからハンマを殴打するまでの移動距離が長くなる。その結果、有底筒状部内の空気があたかも緩衝材（エアクッション）のように機能して、ボルトがハンマを殴打する衝撃が弱くなってしまう。ここで、有底筒状部内の空気の圧力を調整するための機構をボルトに設けようとすると、ボルトの構造が複雑になってボルトのスライド移動に支障が出るおそれがあり、改造コストも増大する。
【００１０】
本発明の目的は、圧縮ガスの噴出を制御するバルブを動かすボルトの構造を大きく改変することなく、ガス圧によって弾丸を発射する玩具銃の弾丸発射時及びブローバック時に強い衝撃を生じさせることである。
【課題を解決するための手段】
【００１１】
本発明の玩具銃は、銃身の前後方向に延びるバレルと、銃身の前後方向に延びる筒形状をなして内部に圧縮ガスで充満される気室を形成し、前方側で前記バレルの後方側の端部に連通し、後方側に銃身の前後方向に貫通する貫通孔を有するバルブボディと、前記バルブボディの内部に位置付けられ、前記バレルと前記気室との連通を閉止する閉位置と前記閉位置よりも前方寄りであって前記バレルと前記気室との連通を開放する開位置との間で変位自在に設けられる放出バルブと、前記放出バルブを後方に押し前記閉位置に位置付ける放出バルブスプリングと、銃身の前後方向にスライド自在に設けられ、前方に第１の開口を形成し、前記第１の開口よりも後方に第２の開口を形成し、前記第１の開口から前記バルブボディの後方側外周を嵌合させる嵌合受け部と、前記第１の開口に対面する前記嵌合受け部の底部に設けられる当接部とを有し、前記当接部を前記放出バルブに当接させ当該放出バルブを前記開位置に位置付ける押圧位置と、この押圧位置よりも後方で前記当接部を前記放出バルブから離反させる後退位置との間で変位するボルトと、前記ボルトを前方に押すボルトスプリングと、を備える。
【発明の効果】
【００１２】
本発明によれば、第１の開口にバルブボディを嵌合させた状態でボルトが前進すると、嵌合受け部内の空気は第２の開口を通って外部に排出され、ボルトが放出バルブを押すときの衝撃が弱まらない。また、弾丸発射後、圧縮ガスがボルトの嵌合受け部内に急激に流入してボルトの底部を押し、ボルトは十分な速度で後退する。このため、圧縮ガスの噴出を制御するバルブを動かすボルトの構造を大きく改変することなく、ガス圧によって弾丸を発射する玩具銃の弾丸発射時及びブローバック時に強い衝撃を生じさせることができる。
【図面の簡単な説明】
【００１３】
【図１】第１の実施の形態における、玩具銃の左側面図である。
【図２】玩具銃の内部構造を示す左断面図である。
【図３】図２のＡ−Ａ線断面図である。
【図４】放出バルブがバレルと気室との連通を閉止している状態を示す左側面図である。
【図５】放出バルブがバレルと気室との連通を開放している状態を示す左側面図である。
【図６】ボルトの左断面図である。
【図７】当接部が放出バルブの摺動突起に当接した状態のボルトの左断面図である。
【図８】図２に続いて、ボルトが前方に移動した状態の玩具銃の内部構造を示す左側面図である。
【図９】図８に続いて、弾丸が発射された直後の玩具銃の内部構造を示す左側面図である。
【図１０】図９に続いて、ボルトが後退した状態の玩具銃の内部構造を示す左側面図である。
【図１１】第２の実施の形態における、ボルトの左断面図である。
【発明を実施するための形態】
【００１４】
実施の一形態を、図１ないし図１０に基づいて説明する。本実施の形態を、説明の便宜上、第１の実施の形態と呼ぶ。本実施の形態は、連射方式の玩具銃への適用例である。
【００１５】
図１は、玩具銃１０１の左側面図である。本実施の形態の玩具銃１０１は、ガスボンベ１０２を取り付けて用いる連射方式の玩具銃である。この玩具銃１０１は、ガスボンベ１０２に封入された圧縮ガスの圧力を弾丸Ｂに与えて、弾丸Ｂを銃口１０３から発射する。使用者は、玩具銃１０１を使用する場合、掌でグリップ１０４を握ってトリガ１０５に指をかけ、銃口１０３を射撃対象物（例えば、的）に向ける。そして、使用者は、指を動かしてトリガ１０５を玩具銃１０１の後方側に引くことで、銃口１０３から弾丸Ｂを発射させることができる。
【００１６】
図２は、玩具銃１０１の内部構造を示す左断面図である。以下の説明において、銃口１０３がある側を玩具銃１０１の前方側と呼ぶ。また、グリップ１０４がある側を玩具銃１０１の後方側と呼ぶ。
【００１７】
まず、玩具銃１０１の前方部分に備わる各部について説明する。玩具銃１０１は、筐体をなすフレーム１１１と、マガジン１１２と、バレル１１３とを備える。本実施例では、フレーム１１１は、銃身の一部をなし、玩具銃１０１の前後方向を規定する。また、マガジン１１２とバレル１１３とは、フレーム１１１から、玩具銃１０１の前方に突出している。もっとも、マガジン１１２およびバレル１１３は、フレーム１１１から突出せずに内部に設けられていてもよい。
【００１８】
マガジン１１２は、一端が閉口端１１２ａとなっている円筒状の部材で、内部に弾丸Ｂを格納可能である。マガジン１１２の内部で閉口端１１２ａの内側面には、マガジンスプリング１１２ｂが取り付けられる。閉口端１１２ａとは反対側になるマガジンスプリング１１２ｂの端部には、弾丸Ｂを押すマガジンフォロワ１１２ｃが取り付けられる。弾丸Ｂは、マガジン１１２の開口端１１２ｄからマガジン１１２の内部に導入される。もっとも、マガジン１１２の開口端１１２ｄ以外の適宜の箇所に開口部を設け、その開口部から弾丸Ｂを導入することも可能である。弾丸Ｂを収納した状態のマガジン１１２は、開口端１１２ｄを玩具銃１０１の後方に向けた状態で、フレーム１１１の前方側に装着される。マガジン１１２は、フレーム１１１に着脱自在とすることも可能であるし、固定して設けることも可能である。
【００１９】
バレル１１３は、円筒状の部材であり、銃身の前後方向に延びている。バレル１１３の前端は、銃口１０３である。このバレル１１３の内径は、弾丸Ｂの直径よりもわずかに大きい。バレル１１３は、フレーム１１１の前方側でマガジン１１２の下方に位置する。
【００２０】
バレル１１３における銃口１０３とは反対側の開口端１０３ａからは、弾丸連絡通路１９０が延びる。弾丸連絡通路１９０は、銃身の前後方向に直線上に延びる。弾丸連絡通路１９０の後端は、放出バルブ１２３の内部空間に連通する（図４も参照）。
【００２１】
マガジン１１２の後端（開口端１１２ｄ側）からは、弾丸落下通路１９１が延びる。弾丸落下通路１９１は、弾丸連絡通路１９０に合流する。マガジン１１２内の弾丸Ｂは、マガジンフォロワ１１２ｃに押されて開口端１１２ｄから押し出され、弾丸落下通路１９１内を自然落下し、弾丸連絡通路１９０内でマガジン１１２の開口端１１２ｄに対面する位置に到達する。この状態で放出バルブ１２３（後述）が圧縮ガスを前方に噴出すると、ガス圧によって給弾ノズル１９２（図４に基づいて後述）が前進して弾丸Ｂの後面を押し、さらに給弾ノズル１９２の内部空間を通過した圧縮ガスが弾丸Ｂの後面を押す。その結果、弾丸Ｂは、給弾ノズル１９２内を通過する圧縮ガスによって前方に押し出され、バレル１１３の内部を通過し、銃口１０３から前方に飛び出す（図９参照）。
【００２２】
次いで、玩具銃１０１の中腹に備わる各部について、図２に基づいて説明する。玩具銃１０１は、フレーム１１１の内部に、ボルト１２１と、バルブボディ１２２と、放出バルブ１２３と、ボルトスプリング１２４と、パッキン１２２ｃと、放出バルブスプリング１２９とを備える。
【００２３】
ボルト１２１は、玩具銃１０１の前後方向に延びる筒状の部材である。このボルト１２１は、玩具銃１０１の前後方向にスライド自在に設けられていて、押圧位置１２１Ａ（図５参照）と後退位置１２１Ｂ（図４参照）との間を往復できるようになっている。このボルト１２１は、前後方向に一往復する間に放出バルブ１２３に当接及び離反して、バレル１１３と気室１２６（後述）との連通を開閉する。
【００２４】
ボルト１２１は、前方に開く第１の開口１２１ｇを有する。ボルト１２１は、後方に、第１の開口１２１ｇに対面する底部をなす閉口端１２１ｄを有する。そして、ボルト１２１は、後方に嵌合受け部１２１ｉを有する。嵌合受け部１２１ｉは、第１の開口１２１ｇと閉口端１２１ｄを両端に持ち、側面（筒部１２１ｈ）が筒状に覆われている。この嵌合受け部１２１ｉには、第１の開口１２１ｇから、バルブボディ１２２の後方側外周が嵌合する。
【００２５】
ボルトスプリング１２４の一端は、ボルト１２１の閉口端１２１ｄの外側面に当接する。ボルトスプリング１２４の他端は、フレーム１１１の後部内側面１１１ｂに当接する。ボルトスプリング１２４は、後退位置１２１Ｂ（図４も参照）に位置付けられているボルト１２１を前方に押す。ボルトスプリング１２４がボルト１２１を前方に押す。ボルト１２１は、スライド移動し前方まで到達した後、貫通孔１２２ｂと摺動突起１２３ｂとの間の空隙Ｓ（後述）を通過する圧縮ガスの圧力を受けて後方に進む。ボルト１２１は、このような前進と後退とを繰り返す往復運動をする。
【００２６】
ボルト１２１は、係止突起１２１ｆを有する。係止突起１２１ｆは、ボルト１２１の閉口端１２１ｄ側の下面から下方に延出する。また、ボルト１２１は、上面から上方に突出する凸部１２１ａを有する。
【００２７】
ボルト１２１は、閉口端１２１ｄの内面側に、当接部１２１ｅを有する。当接部１２１ｅは、バルブボディ１２２の後端にある嵌合孔１２２ｆ（次に述べる）に嵌合する。
【００２８】
バルブボディ１２２は、銃身の前後方向に延びる筒状の部材であり、その内部に圧縮ガスで充満される気室１２６を形成する。このバルブボディ１２２の外径は、ボルト１２１の内径よりも小さい。バルブボディ１２２は、第１の開口１２１ｇからボルト１２１に入りこみ、このボルト１２１の内部で前後方向にスライド自在となる。バルブボディ１２２の内空間で玩具銃１０１の前方領域には、放出バルブ１２３（後述）が前方にスライド移動するための空間１２２ｇが確保されている。
【００２９】
バルブボディ１２２は、後蓋１２２ａを後端に有する。後蓋１２２ａの前方を向く端面には、リング状のパッキン１２２ｃが取り付けられている。この後蓋１２２ａは、貫通孔１２２ｂを有する。貫通孔１２２ｂは、銃身の前後方向に貫通して、バルブボディ１２２の外部と放出バルブ１２３の内部とを連通する。貫通孔１２２ｂの後方は、内径が大きい嵌合孔１２２ｆとなっている。嵌合孔１２２ｆには、バルブボディ１２２の外部から、ボルト１２１に備わる当接部１２１ｅが嵌合する。また、貫通孔１２２ｂに対しては、バルブボディ１２２の内部側から、放出バルブ１２３に備わる摺動突起１２３ｂ（後述）が入り込む。この摺動突起１２３ｂは、嵌合孔１２２ｆ側に突出する。
【００３０】
図３は、図２のＡ−Ａ線断面図である。この摺動突起１２３ｂは、後蓋１２２ａの貫通孔１２２ｂに入り込むことができる形状を有する。摺動突起１２３ｂは、貫通孔１２２ｂに入りこむと、この貫通孔１２２ｂの内周面との間に、空隙Ｓを形成する。
【００３１】
図２を再び参照する。バルブボディ１２２は、ガス導入部１２２ｄを有する。ガス導入部１２２ｄは、バルブボディ１２２の下面から下方に突出している。ガス導入部１２２ｄは中空になっていて、バルブボディ１２２の内空間とフレーム１１１よりも外側の空間とを連通している。このガス導入部１２２ｄは、フレーム１１１の内底面１１１ａに設けられた装着孔１１１ｃに嵌合する。その結果、ガス導入部１２２ｄの先端１２２ｅは、フレーム１１１の下方に突出する。ガスボンベ１０２（図２では図示せず）は、このガス導入部１２２ｄの先端１２２ｅに取り付けられる。そして、ガスボンベ１０２は、このガス導入部１２２ｄを介して気室１２６（後述）に圧縮ガスを送り込む。
【００３２】
図４は、放出バルブ１２３がバレル１１３と気室１２６との連通を閉止している状態を示す左側面図である。図４中、ドット領域は、圧縮ガスで満たされている領域を示す。放出バルブ１２３は、筒状の部材であり、前方の端面は開口している。放出バルブ１２３の外径は、バルブボディ１２２の内径よりも小さい。この放出バルブ１２３は、バルブボディ１２２の内部に位置付けられて、バルブボディ１２２と放出バルブ１２３との間に気室１２６を形成する。
【００３３】
放出バルブ１２３は、後端領域に、フランジ部１２３ａと、摺動突起１２３ｂとを有する。フランジ部１２３ａは、放出バルブ１２３の外周から放射方向に突出する。摺動突起１２３ｂは、放出バルブ１２３の後方の端面から突出する。
【００３４】
放出バルブ１２３は、連通路１２３ｃを有する。連通路１２３ｃは、放出バルブ１２３の内部空間の延びる方向に対して傾斜している筒状の空間である。連通路１２３ｃの一端は、放出バルブ１２３の内部空間に連なる。連通路１２３ｃの他端の開口部は、フランジ部１２３ａと摺動突起１２３ｂとの間に現れる。
【００３５】
放出バルブ１２３の外周でその前端領域には、Ｏリング１２７とワッシャ１２８とが取り付けられる。Ｏリング１２７は、ワッシャ１２８とバルブボディ１２２の内壁とに挟まれる。ワッシャ１２８は、Ｏリング１２７の後方に隣接して位置付けられる。ワッシャ１２８の後方の面には、放出バルブスプリング１２９の一端が接触する。放出バルブスプリング１２９は、放出バルブ１２３の外周に巻きつくように配置される。放出バルブスプリング１２９の他端は、フランジ部１２３ａに接触する。放出バルブスプリング１２９は、ワッシャ１２８を押してＯリング１２７をバルブボディ１２２の内壁に押し付けている。また、放出バルブスプリング１２９は、放出バルブ１２３のフランジ部１２３ａを後方に押してこのフランジ部１２３ａをパッキン１２２ｃに押し付け、放出バルブ１２３を閉位置１２３Ａに位置付ける。このとき、気室１２６は気密になる。この状態では、ガス導入部１２２ｄから気室１２６に導入されたガスは、バルブボディ１２２の前後から漏れない。
【００３６】
放出バルブ１２３の内部空間には、給弾ノズル１９２と給弾ノズルスプリング１９３とが設けられる。給弾ノズル１９２は、筒状の部材である。給弾ノズル１９２の前端の外径は、バレル１１３の内径及び弾丸連絡通路１９０の内径のいずれよりも小さい。給弾ノズル１９２の後端には、給弾ノズルフランジ部１９２ａが設けられる。給弾ノズルフランジ部１９２ａは、放出バルブ１２３の内周面に摺動自在に接触する。給弾ノズルスプリング１９３は、給弾ノズル１９２の外周に巻き付くように配置される。給弾ノズルスプリング１９３の他端は、空間１２２ｇを形成する係止段部１９４に接触する。また、給弾ノズルスプリング１９３の一端は、給弾ノズルフランジ部１９２ａに接触し、給弾ノズルフランジ部１９２ａを抜止突起１９２ｂに押し付ける。ここで、抜止突起１９２ｂとは、放出バルブ１２３の内部空間と連通路１２３ｃとの境界に位置し、放出バルブ１２３の内側に突出する部分である。抜止突起１９２ｂと給弾ノズルフランジ部１９２ａの端面との間には、圧縮ガスが入り込む空隙Ｖが形成される。
【００３７】
図４において、ボルト１２１は、玩具銃１０１の後方の後退位置１２１Ｂに位置付けられている。この後退位置１２１Ｂとは、当接部１２１ｅを放出バルブ１２３の摺動突起１２３ｂから離反させるようなボルト１２１の位置である。このとき、放出バルブ１２３は放出バルブスプリング１２９によって後方に押されている。
【００３８】
図５は、放出バルブ１２３がバレル１１３と気室１２６との連通を開放している状態を示す左側面図である。図５中、矢印は、圧縮ガスの動きを示す。図５において、ボルト１２１は、玩具銃１０１の前方の押圧位置１２１Ａに位置付けられている。押圧位置１２１Ａとは、当接部１２１ｅを放出バルブ１２３の摺動突起１２３ｂに当接させて、放出バルブ１２３を前方に押すようなボルト１２１の位置である。このとき、放出バルブ１２３は前方に動いて放出バルブ１２３と気室１２６の連通を開放させる開位置１２３Ｂに位置付けられる。ボルト１２１が開位置１２３Ｂに位置付けられると、ボルト１２１の当接部１２１ｅが嵌合孔１２２ｆに入り込み、摺動突起１２３ｂを前方に押す。これにより、放出バルブ１２３はバルブボディ１２２内部の空間１２２ｇに向けてスライドする。その結果、フランジ部１２３ａは、パッキン１２２ｃから離反する。
【００３９】
気室１２６に満たされた圧縮されたガスは、図５中の矢印に示すように、フランジ部１２３ａとパッキン１２２ｃとの間に形成された隙間から放出バルブ１２３の内部空間に流入する。流入した圧縮ガスの一部は、空隙Ｖに入り込んで給弾ノズルフランジ部１９２ａにあたり、給弾ノズル１９２を前進させる。給弾ノズル１９２は、その前端で弾丸連絡通路１９０（図４参照）内に位置する弾丸Ｂ（図４参照）の後面を押して、この弾丸Ｂをバレル１１３（図４参照）に嵌め込む。また、放出バルブ１２３の内部空間に流入した圧縮ガスの別の一部は、給弾ノズル１９２の内部空間を通過して弾丸連絡通路１９０に噴出し、弾丸Ｂを前方に押し出す。
【００４０】
また、フランジ部１２３ａとパッキン１２２ｃとが離反すると、圧縮ガスは、図５中の矢印に示すように、空隙Ｓにも入り込んで貫通孔１２２ｂを通過する。この圧縮ガスは、ボルト１２１の当接部１２１ｅやボルト１２１の閉口端１２１ｄにあたって、ボルト１２１を後方に押す。
【００４１】
放出バルブ１２３が前方に動くと、放出バルブスプリング１２９は放出バルブ１２３を後方に押し返す。これにより、放出バルブ１２３が後方にスライドし、フランジ部１２３ａがパッキン１２２ｃに密接する。その結果、気室１２６は再び気密になる。気密になった状態で、気室１２６は、ガスボンベ１０２から供給された圧縮ガスで満たされる。
【００４２】
図２を再び参照する。次いで、玩具銃１０１の後方部分に備わる各部について説明する。玩具銃１０１は、トリガ１０５と、トリガスプリング１３１と、ボルトシア１３２と、ボルトシアスプリング１３３とを備える。
【００４３】
トリガ１０５は、グリップ１０４（図２では図示せず）の前方に位置する。トリガ１０５は、支点１０５ａを中心に回動自在にフレーム１１１に支持される。支点１０５ａによって、トリガ１０５は、弾丸を発射するための発射位置１０５Ａ（一点鎖線で示すトリガ１０５の位置）と非発射位置１０５Ｂ（実線で示すトリガ１０５の位置）との間で変位自在となっている。トリガ１０５は、支点１０５ａから下方に延出する操作部１０５ｄを有する。また、トリガ１０５は、支点１０５ａから玩具銃１０１の後方に延びる後方延出部１０５ｂを有する。後方延出部１０５ｂの上面には、ボルトシア押上部１０５ｃが上方に突出する。
【００４４】
トリガスプリング１３１は、操作部１０５ｄの後方に位置する。トリガスプリング１３１は、フレーム１１１に取り付けられている。トリガスプリング１３１は、トリガ１０５を時計回りに押し、発射位置１０５Ａに位置付けられたトリガ１０５を非発射位置１０５Ｂに押し戻す。操作者が指で操作部１０５ｄを後方に引くと、トリガ１０５は発射位置１０５Ａに位置付けられる。その後、操作者が操作部１０５ｄから指を離すと、トリガ１０５は非発射位置１０５Ｂまで変位する。
【００４５】
ボルトシア１３２は、ボルトシア押上部１０５ｃの上方かつボルト１２１の下方で、これらに挟まれる位置に設けられている。ボルトシア１３２は、軸芯１３２ａを中心に回動自在にフレーム１１１に取り付けられる。ボルトシア１３２は、平板状の前方突出部１３２ｂと、側面視扇形形状に広がる後方突出部１３２ｃとを有する。前方突出部１３２ｂは、軸芯１３２ａよりも前方に突出している。後方突出部１３２ｃは、軸芯１３２ａよりも後方に突出する。後方突出部１３２ｃの上方は、ボルト１２１の係止突起１２１ｆを止めるストッパ部１３２ｄとなる。後方突出部１３２ｃの下面には、ボルトシアスプリング１３３が当接する。ボルトシアスプリング１３３は、ボルトシア１３２を反時計回りに回動させる。このようなボルトシア１３２において、ボルトシア押上部１０５ｃが前方突出部１３２ｂの下面を押し上げると、ストッパ部１３２ｄは下方に変位し、ボルトシア１３２は許容位置１３２Ａ（一点鎖線で示すボルトシア１３２の位置）に位置付けられる。この許容位置１３２Ａとは、ボルト１２１の係止突起１２１ｆの移動軌跡から離れてボルト１２１の前後方向の往復運動を許容する位置である。一方、ボルトシア押上部１０５ｃがボルトシア１３２から離反すると、ボルトシアスプリング１３３によってストッパ部１３２ｄが上方に変位し、ボルトシア１３２は阻止位置１３２Ｂ（実線で示すボルトシア１３２の位置）に位置付けられる。この阻止位置１３２Ｂとは、ボルト１２１の係止突起１２１ｆの移動軌跡に干渉して、ボルト１２１の往復運動を阻止する位置である。
【００４６】
ボルト１２１の構造について、さらに詳細に説明する。図６は、ボルト１２１の左断面図である。図７は、当接部１２１ｅが放出バルブ１２３の摺動突起１２３ｂに当接した状態のボルト１２１の左断面図である。なお、図７は、放出バルブ１２３が前方に動き出す直前の状態を示していて、フランジ部１２３ａはパッキン１２２ｃから離れていない。以下、図６及び図７を参照して説明する。ボルト１２１の筒部１２１ｈには、第２の開口１９５が設けられる。第２の開口１９５は、嵌合受け部１２１ｉの内部とボルト１２１の外部とを連通して、気体の流路Ｕを形成する。
【００４７】
ボルト１２１は、ボルトスプリング１２４に押されて直線状に玩具銃１０１の前方にスライド移動する。これにより、当接部１２１ｅは、貫通孔１２２ｂの一部をなす嵌合孔１２２ｆに入り込み、摺動突起１２３ｂに接触する（図７）。
【００４８】
前述した図５は、図７に続いて、当接部１２１ｅが放出バルブ１２３の摺動突起１２３ｂを前方に押し、フランジ部１２３ａがパッキン１２２ｃから離れた状態を、左側面視断面視で示している。気室１２６内に充満した圧縮ガスは、図５中の矢印のように、空隙Ｓを通って後方に流れ、当接部１２１ｅやボルト１２１の閉口端１２１ｄを後方に押す。これにより、ボルト１２１の動きは前進から後退に転じる。
【００４９】
使用者が玩具銃１０１を使用した場合の各部の動きを、図２、図８ないし図１０に基づいて説明する。まず、図２を参照する。玩具銃１０１を使用する使用者は、バレル１１３が水平となるように玩具銃１０１を持つ。これにより、マガジン１１２内の弾丸Ｂは自然落下して、弾丸連絡通路１９０内でマガジン１１２の開口端１１２ｄに対面する位置に到達する。
【００５０】
続いて、使用者は、凸部１２１ａを玩具銃１０１の後方に引く操作を行う。図２は、このようにしてボルト１２１が後方に位置付けられた状態の玩具銃１０１の内部構造を示している。ボルト１２１が後退する途中で、ボルト１２１の係止突起１２１ｆはボルトシア１３２のストッパ部１３２ｄの上面に当接し、このストッパ部１３２ｄを乗り越える。係止突起１２１ｆがストッパ部１３２ｄを乗り越えると、ボルトシア１３２はボルトシアスプリング１３３の弾性力によって反時計回りに回る。ここで、ボルト１２１はボルトスプリング１２４の弾性力によって玩具銃１０１の前方に移動しようとする。しかし、ボルト１２１の係止突起１２１ｆは、ストッパ部１３２ｄに引っかかって、それ以上前方に進まない。
【００５１】
この状態で、使用者がトリガ１０５を後方に引くと、トリガ１０５は反時計回りに回動し、ボルトシア押上部１０５ｃがボルトシア１３２の前方突出部１３２ｂを上方に変位させて、ボルトシア１３２を時計回りに回動させる。これにより、ボルト１２１の係止突起１２１ｆとボルトシア１３２のストッパ部１３２ｄとの係止状態が解除される。その後、ボルト１２１は、ボルトスプリング１２４に押されて前方に進む。
【００５２】
図８は、図２に続いて、ボルト１２１が前方に移動した状態の玩具銃１０１の内部構造を示す左側面図である。図９は、図８に続いて、弾丸Ｂが発射された直後の玩具銃１０１の内部構造を示す左側面図である。ボルト１２１が前方に移動すると、当接部１２１ｅは後蓋１２２ａの嵌合孔１２２ｆに入り込み、放出バルブ１２３の摺動突起１２３ｂを前方に押す。これにより、フランジ部１２３ａはパッキン１２２ｃから離れる。ここで、圧縮ガスは、フランジ部１２３ａとパッキン１２２ｃとの間の隙間から放出バルブ１２３の内部空間に入り込み、給弾ノズル１９２を前方に押す。さらに、圧縮ガスは、給弾ノズル１９２の内部空間を通って前方に抜ける。これにより、弾丸連絡通路１９０内の弾丸Ｂの後面は、圧縮ガスと給弾ノズル１９２の前端とに押され、バレル１１３内を通過して銃口１０３から発射される。弾丸Ｂが発射された後、別の弾丸Ｂがマガジン１１２から弾丸連絡通路１９０に供給される（図１０参照）。
【００５３】
ここで、ボルト１２１が前方に移動する場合、嵌合受け部１２１ｉと後蓋１２２ａとに囲まれた空間ＳＰ内の空気は、第２の開口１９５を通ってボルト１２１の外部に排出される。ボルト１２１は、ボルト１２１が前方に移動している間で第２の開口１９５がバルブボディ１２２により塞がれるまでは、空間ＳＰ内の空気によって減速されることなく、素早く摺動突起１２３ｂを押圧する。その後、バルブボディ１２２が第２の開口１９５を塞ぐ位置までボルト１２１が前方に移動すると、流路Ｕは遮断される。
【００５４】
図１０は、図９に続いて、ボルト１２１が後退した状態の玩具銃１０１の内部構造を示す左側面図である。ボルト１２１は、空隙Ｓを通って空間ＳＰ内に流入した圧縮ガスに当接部１２１ｅや閉口端１２１ｄを押されて後方に移動する。このとき、流路Ｕが遮断されていると、嵌合受け部１２１ｉと後蓋１２２ａとに囲われた空間ＳＰに流入した圧縮ガスは、全て、ボルト１２１を後方に押す動力となる。そして、ボルト１２１が所定距離だけ後方に移動すると、再び流路Ｕが確保される。しかしながら、圧縮ガスは空間ＳＰ内に急激に流入し閉口端１２１ｄは大きな力で押される。このため、ボルト１２１は十分な速度で後退する。そして、玩具銃１０１の使用者は、後退するボルト１２１から強い衝撃を体感することができる。また、給弾ノズル１９２は、給弾ノズルスプリング１９３によって押され、抜止突起１９２ｂに当接するまで後方に移動する。
【００５５】
使用者がトリガ１０５を後方に引いている間、ボルトシア押上部１０５ｃは、ボルトシア１３２の前方突出部１３２ｂを押し上げている。このため、ボルトシア押上部１０５ｃのストッパ部１３２ｄは、下方に下がったままになる。これにより、ボルト１２１は、ボルトシア１３２に止められることなく、後退しきってからボルトスプリング１２４に押されて前進に転じる。このようにして、ボルト１２１は、ボルトスプリング１２４の弾性力及び圧縮ガスの圧力を受けて往復運動し、一往復する間に放出バルブ１２３に当接及び離反して、バレル１１３と気室１２６との連通を開閉する。そして、玩具銃１０１では、図２、図８〜図１０に示す動きが繰り返されて、銃口１０３から弾丸Ｂが立て続けに発射される。
【００５６】
このように、本実施の形態の玩具銃１０１によれば、第１の開口１２１ｇにバルブボディ１２２を嵌合させた状態でボルト１２１が前進すると、嵌合受け部１２１ｉ内の空気は第２の開口１９５を通って外部に排出され、ボルト１２１が放出バルブ１２３を押すときの衝撃が弱まらない。また、弾丸Ｂの発射後、圧縮ガスがボルト１２１の嵌合受け部１２１ｉ内に急激に流入してボルト１２１の底部（閉口端１２１ｄ）を押し、ボルト１２１は十分な速度で後退する。このため、圧縮ガスの噴出を制御する放出バルブ１２３を動かすボルト１２１の構造を大きく改変することなく、ガス圧によって弾丸Ｂを発射する玩具銃１０１の弾丸発射時及びブローバック時に強い衝撃を生じさせる。
【００５７】
発明者は、本実施の形態の玩具銃１０１を摂氏１０度〜３５度の条件下で用い、以下のような知見を得た。この場合、嵌合受け部１２１ｉは、円筒形状であり、その直径ｔ（図６参照）は１５．４ｍｍ（断面積１８６．１７ｍｍ２）であり、その深さｄ（図６参照）は２２．５ｍｍであり、その容積は、４１９０．９６３ｍｍ３（但し、当接部１２１ｅの占める容積を除く）である。また、第２の開口１９５は円形で、ボルト１２１の内底面（閉口端１２１ｄの前方側の面）から距離ｐ（図６参照）が２．５ｍｍの箇所に設けられる。また、当接部１２１ｅは円柱状をなし、その軸心は閉口端１２１ｄの中心点を通過している。当接部１２１ｅの直径ｓ（図６参照）は６．０ｍｍである。当接部１２１ｅの高さｑ（図６参照）は８．５５ｍｍである。当接部１２１ｅが嵌合受け部１２１ｉ内で占める容積は、２４１．７４６ｍｍ３である。また、圧縮ガスとしては、炭酸ガスを用いた。なお、当接部１２１ｅが嵌合孔１２２ｆに嵌合し摺動突起１２３ｂに当接するときの後蓋１２２ａと閉口端１２１ｄとの離間距離ｍ（図７参照）は１．０ｍｍである。このときの空隙Ｓは、図７のＢ−Ｂ線で断面視するとリング状に見える。このリングの幅、すなわち、当接部１２１ｅの側面と嵌合孔１２２ｆの内側面との離間距離ｌ（図７参照）は、０．７ｍｍである。
【００５８】
発明者は、第２の開口１９５の直径を各種の値に変化させて１０１の使用感を確認し、以下のような結果を得た。
第２の開口１９５の直径（開口面積）      使用感
１．５ｍｍ（１．７７ｍｍ２）              不適
２．０ｍｍ（３．１４ｍｍ２）              適
２．５ｍｍ（４．９１ｍｍ２）              不適
詳細を述べると、第２の開口１９５の直径が２．０ｍｍである場合、玩具銃１０１では、弾丸発射時及びブローバック時のいずれにおいても良好な使用感が得られた。また、第２の開口１９５の直径が１．５ｍｍである場合、銃口１０３から弾丸Ｂが発射するものの、ボルト１２１が前進するときの第２の開口１９５からの空間ＳＰ内の空気の排出が良好ではなく、空間ＳＰ内の空気によってボルト１２１の前進速度が低下した。また、第２の開口１９５の直径が２．５ｍｍである場合、銃口１０３から弾丸Ｂが発射するものの、ボルト１２１の後退時（ブローバック時）に圧縮ガスが第２の開口１９５から多く漏れ、閉口端１２１ｄは圧縮ガスの圧力を十分に受けられず、ボルト１２１の後退速度が低下した。
【００５９】
そして、上記の知見より、ボルト１２１の内底面（閉口端１２１ｄの前方側の面）からの距離ｐが２．５ｍｍよりも小さい後方側の位置に第２の開口１９５を設けると、ボルト１２１の移動（弾丸発射及びブローバック）の際に流路Ｕが遮断される時間が更に短くなり、玩具銃１０１の使用感が一層向上することが推測される。
【００６０】
次いで、別の実施の一形態を、図１１に基づいて説明する。本実施の形態を、説明の便宜上、第２の実施の形態と呼ぶ。この場合、第１の実施の形態と同一の部分には同一の符号を用い、説明も省略する。図１１は、ボルト１２１の左断面図である。本実施の形態では、第２の開口１９５’は、嵌合受け部１２１ｉの底部をなす閉口端１２１ｄに設けられる。この第２の開口１９５’によって、図１２に示すような気体の流路Ｕが確保される。本実施の形態の玩具銃１０１によっても、ボルト１２１が放出バルブ１２３を押すときの衝撃が弱まらず、また、弾丸Ｂの発射後にボルト１２１は十分な速度で後退する。このため、圧縮ガスの噴出を制御する放出バルブ１２３を動かすボルト１２１の構造を大きく改変することなく、ガス圧によって弾丸Ｂを発射する玩具銃１０１の弾丸発射時及びブローバック時に強い衝撃を生じさせる。
【００６１】
なお、第１の実施の形態及び第２の実施の形態のいずれも、玩具銃１０１は連射方式のものであるが、別の実施の形態として、第２の開口１９５，１９５’は、単射方式の玩具銃にも、点射（バースト）方式の玩具銃にも適用できる。
【符号の説明】
【００６２】
１０１      玩具銃
１１３      バレル
１２１ｄ    閉口端（底部）
１２１ｅ    当接部
１２１ｇ    第１の開口
１２１ｉ    嵌合受け部
１２１ｈ    筒部（側部）
１２１Ａ    押圧位置
１２１Ｂ    後退位置
１２２      バルブボディ
１２２ｂ    貫通孔
１２３      放出バルブ
１２３Ａ    閉位置
１２３Ｂ    開位置
１２４      ボルトスプリング
１２６      気室
１２９      放出バルブスプリング
Ｕ          流路
【図１】
2011231979.tif 000003
【図２】
2011231979.tif 000004
【図３】
2011231979.tif 000005
【図４】
2011231979.tif 000006
【図５】
2011231979.tif 000007
【図６】
2011231979.tif 000008
【図７】
2011231979.tif 000009
【図８】
2011231979.tif 000010
【図９】
2011231979.tif 000011
【図１０】
2011231979.tif 000012
【図１１】
2011231979.tif 000013